(57)【要約】【課題】簡単な構成で、虚像の見え方に関する設定を特定の単位ごとに変更可能とした頭部装着型表示装置を提供する。【解決手段】頭部装着型表示装置は、頭部装着型表示装置の利用者に虚像を視認させる画像表示部と、近距離無線通信を介して、頭部装着型表示装置に近接された記憶媒体に予め記憶されている媒体情報を取得し、取得した媒体情報に応じて、画像表示部における虚像の形成に関する設定を行う設定部と、を備える。【選択図】図１３
2016119544.tif 000002
【特許請求の範囲】
【請求項１】
頭部装着型表示装置であって、
前記頭部装着型表示装置の利用者に虚像を視認させる画像表示部と、
近距離無線通信を介して、前記頭部装着型表示装置に近接された記憶媒体に予め記憶されている媒体情報を取得し、取得した前記媒体情報に応じて、前記画像表示部における前記虚像の形成に関する設定を行う設定部と、
を備える、頭部装着型表示装置。
【請求項２】
請求項１に記載の頭部装着型表示装置であって、
前記媒体情報は、前記記憶媒体に対して一意に付された識別情報であり、
前記設定部は、
さらに、取得した前記識別情報に予め関連付けて記憶されている設定情報であって、前記虚像の形成のために用いられる前記設定情報を取得し、
取得した前記設定情報を用いて前記設定を行う、頭部装着型表示装置。
【請求項３】
請求項２に記載の頭部装着型表示装置であって、
前記設定情報は、前記頭部装着型表示装置に接続された情報処理装置に記憶されており、
前記設定部は、前記情報処理装置から前記設定情報を取得する、頭部装着型表示装置。
【請求項４】
請求項３に記載の頭部装着型表示装置であって、
前記設定部は、さらに、
前記近距離無線通信を介して、前記頭部装着型表示装置に近接された前記記憶媒体の前記識別情報を取得し、
入力された前記設定の内容を取得し、
取得した前記識別情報と、取得した前記設定の内容と、を関連付けて、前記情報処理装置に記憶させる、頭部装着型表示装置。
【請求項５】
請求項２に記載の頭部装着型表示装置であって、さらに、
前記設定情報を記憶する設定情報記憶部を備え、
前記設定部は、前記設定情報記憶部から前記設定情報を取得する、頭部装着型表示装置。
【請求項６】
請求項５に記載の頭部装着型表示装置であって、
前記設定部は、さらに、
前記近距離無線通信を介して、前記頭部装着型表示装置に近接された前記記憶媒体の前記識別情報を取得し、
入力された前記設定の内容を取得し、
取得した前記識別情報と、取得した前記設定の内容と、を関連付けて、前記設定情報記憶部に記憶させる、頭部装着型表示装置。
【請求項７】
請求項１に記載の頭部装着型表示装置であって、
前記媒体情報は、前記虚像の形成のために用いられる設定情報であり、
前記設定部は、取得した前記設定情報を用いて前記設定を行う、頭部装着型表示装置。
【請求項８】
請求項７に記載の頭部装着型表示装置であって、
前記設定部は、さらに、
入力された前記設定の内容を取得し、
取得した前記設定の内容を、前記頭部装着型表示装置に近接された前記記憶媒体に記憶させる、頭部装着型表示装置。
【請求項９】
請求項１から請求項８のいずれか一項に記載の頭部装着型表示装置であって、
前記設定部は、取得した前記媒体情報に応じて、前記画像表示部における前記虚像の形成に関する設定に加えてさらに、前記頭部装着型表示装置の制御に関する設定を行う、頭部装着型表示装置。
【請求項１０】
請求項１から請求項９のいずれか一項に記載の頭部装着型表示装置であって、
前記設定部は、
前記設定から所定の時間が経過した場合と、
前記近距離無線通信によって前記記憶媒体が検出できなくなった場合と、
のうちの少なくともいずれかの場合に、前記設定の内容を破棄する、頭部装着型表示装置。
【請求項１１】
頭部装着型表示装置を制御する方法であって、
（ａ）近距離無線通信を介して、前記頭部装着型表示装置に近接された記憶媒体に予め記憶されている媒体情報を取得する工程と、
（ｂ）取得した前記媒体情報に応じて、前記頭部装着型表示装置における虚像の形成に関する設定を行う工程と、
（ｃ）前記頭部装着型表示装置の利用者に前記虚像を視認させる工程と、を備える、方法。
【請求項１２】
コンピュータープログラムであって、
近距離無線通信を介して、前記頭部装着型表示装置に近接された記憶媒体に予め記憶されている媒体情報を取得する機能と、
取得した前記媒体情報に応じて、前記頭部装着型表示装置における虚像の形成に関する設定を行う機能と、
前記頭部装着型表示装置の利用者に前記虚像を視認させる機能と、
をコンピューターに実現させるための、コンピュータープログラム。
【発明の詳細な説明】
【技術分野】
【０００１】
本発明は、頭部装着型表示装置に関する。
【背景技術】
【０００２】
利用者の頭部に装着されて用いられることによって、利用者の視野領域に虚像を形成する頭部装着型表示装置が知られている。この頭部装着型表示装置は、ヘッドマウントディスプレイ（ＨＭＤ：Head Mounted Display）とも呼ばれる。
【０００３】
このようなＨＭＤでは、例えば、虚像の明るさや、虚像が形成される位置といった「虚像の見え方に関する設定」を、利用者ごとに変更可能とすることが好ましい。そうすれば、ＨＭＤが利用者に与える視覚的な違和感の低減や、ＨＭＤの使い勝手の向上等に寄与することができ、有用である。特許文献１には、ＨＭＤにおいて立体表示を行うための左右眼用画像信号の視差量を、利用者ごとに設定することが記載されている。
【先行技術文献】
【特許文献】
【０００４】
【特許文献１】特開平１１−１６４３２９号公報
【特許文献２】特開２００２−１５９０１９号公報
【発明の概要】
【発明が解決しようとする課題】
【０００５】
特許文献１に記載された技術では、虚像の見え方に関する設定を利用者ごとに変更可能とするために、利用者の顔の特徴を用いている。具体的には、カメラで利用者の顔の画像を撮像し、撮像された画像を画像認識処理することで利用者の顔の特徴を抽出している。このように、特許文献１に記載された技術では、ＨＭＤにカメラを搭載する必要があり、また、処理負荷が掛かるといった課題があった。特許文献２に記載された技術では、虚像の見え方に関する設定を利用者ごとに変更可能とすることについては、何ら考慮されていない。
【０００６】
また、上述した課題は、虚像の見え方に関する設定を「利用者ごと」に変更可能とするだけでなく、利用者ごと、家族ごと、職場のグループごと、といった特定の単位ごとに変更可能とする場合についても同様であった。
【０００７】
このため、簡単な構成で、虚像の見え方に関する設定を特定の単位ごとに変更可能とした頭部装着型表示装置が望まれていた。
【課題を解決するための手段】
【０００８】
本発明は、上述の課題の少なくとも一部を解決するためになされたものであり、以下の形態として実現することが可能である。
【０００９】
（１）本発明の一形態によれば、頭部装着型表示装置が提供される。この頭部装着型表示装置は；前記頭部装着型表示装置の利用者に虚像を視認させる画像表示部と；近距離無線通信を介して、前記頭部装着型表示装置に近接された記憶媒体に予め記憶されている媒体情報を取得し、取得した前記媒体情報に応じて、前記画像表示部における前記虚像の形成に関する設定を行う設定部と、を備える。
この形態の頭部装着型表示装置によれば；設定部は、取得した媒体情報に応じて、画像表示部における虚像の形成に関する設定、換言すれば、虚像の見え方に関する設定を行うことができる。媒体情報は、頭部装着型表示装置に近接された記憶媒体から、近距離無線通信を介して取得することができるため、画像認識等と比較して処理内容が単純であり、設定部における処理負荷が軽い。また、媒体情報が記憶されている記憶媒体の扱いによって、虚像の見え方に関する設定を変更する単位を決めることができる。例えば、記憶媒体を１人の利用者で占有する場合、虚像の見え方に関する設定を利用者ごとに変更することができる。例えば、記憶媒体をグループで共有する場合、虚像の見え方に関する設定をグループごとに変更することができる。これらの結果、簡単な構成で、虚像の見え方に関する設定を特定の単位ごとに変更可能とした頭部装着型表示装置を提供することができる。
【００１０】
（２）上記形態の頭部装着型表示装置において；前記媒体情報は、前記記憶媒体に対して一意に付された識別情報であり；前記設定部は；さらに、取得した前記識別情報に予め関連付けて記憶されている設定情報であって、前記虚像の形成のために用いられる前記設定情報を取得し；取得した前記設定情報を用いて前記設定を行ってもよい。
この形態の頭部装着型表示装置によれば、記憶媒体に予め記憶されている媒体情報は、記憶媒体に対して一意に付された識別情報に過ぎない。このため、記憶媒体内において必要とする記憶領域が少なくて済む。また、例えば利用者が記憶媒体を紛失した場合や、記憶媒体内の情報が不正に読み取られた場合であっても、設定情報が漏えいする可能性を低減することができる。
【００１１】
（３）上記形態の頭部装着型表示装置において；前記設定情報は、前記頭部装着型表示装置に接続された情報処理装置に記憶されており；前記設定部は、前記情報処理装置から前記設定情報を取得してもよい。
この形態の頭部装着型表示装置によれば、頭部装着型表示装置に接続された情報処理装置を利用して、設定情報を一元管理することができる。このため、利用者が初めて使用する頭部装着型表示装置においても、その頭部装着型表示装置が通信手段を備えている限りにおいて、簡単な構成で、虚像の見え方に関する設定を特定の単位ごとに変更可能とすることができる。
【００１２】
（４）上記形態の頭部装着型表示装置において；前記設定部は、さらに；前記近距離無線通信を介して、前記頭部装着型表示装置に近接された前記記憶媒体の前記識別情報を取得し；入力された前記設定の内容を取得し；取得した前記識別情報と、取得した前記設定の内容と、を関連付けて、前記情報処理装置に記憶させてもよい。
この形態の頭部装着型表示装置によれば、設定部は、入力された設定の内容を、頭部装着型表示装置に近接された記憶媒体の識別情報と関連付けて、情報処理装置に記憶させておくことができる。このため、設定部は、一度行われた設定の内容（設定情報）を、二度目以降において、頭部装着型表示装置に近接された記憶媒体を利用して情報処理装置から簡単に取得し、再利用することができる。
【００１３】
（５）上記形態の頭部装着型表示装置において、さらに；前記設定情報を記憶する設定情報記憶部を備え；前記設定部は、前記設定情報記憶部から前記設定情報を取得してもよい。
この形態の頭部装着型表示装置によれば、頭部装着型表示装置内に設定情報を記憶しておくことができる。このため、頭部装着型表示装置が近距離無線通信以外の通信手段を備えない場合であっても、簡単な構成で、虚像の見え方に関する設定を特定の単位ごとに変更可能とすることができる。
【００１４】
（６）上記形態の頭部装着型表示装置において；前記設定部は、さらに；前記近距離無線通信を介して、前記頭部装着型表示装置に近接された前記記憶媒体の前記識別情報を取得し；入力された前記設定の内容を取得し；取得した前記識別情報と、取得した前記設定の内容と、を関連付けて、前記設定情報記憶部に記憶させてもよい。
この形態の頭部装着型表示装置によれば、設定部は、入力された設定の内容を、頭部装着型表示装置に近接された記憶媒体の識別情報と関連付けて、頭部装着型表示装置の設定情報記憶部に記憶させておくことができる。このため、設定部は、一度行われた設定の内容（設定情報）を、二度目以降において、頭部装着型表示装置に近接された記憶媒体を利用して設定情報記憶部から簡単に取得し、再利用することができる。
【００１５】
（７）上記形態の頭部装着型表示装置において；前記媒体情報は、前記虚像の形成のために用いられる設定情報であり；前記設定部は、取得した前記設定情報を用いて前記設定を行ってもよい。
この形態の頭部装着型表示装置によれば、記憶媒体に予め記憶されている媒体情報は、設定情報である。このため、設定部は、頭部装着型表示装置に近接された記憶媒体から直接、設定情報を取得することができる。このため、利用者が初めて使用する頭部装着型表示装置においても、また、その頭部装着型表示装置が近距離無線通信以外の通信手段を備えない場合であっても、簡単な構成で、虚像の見え方に関する設定を特定の単位ごとに変更可能とすることができる。
【００１６】
（８）上記形態の頭部装着型表示装置において；前記設定部は、さらに；入力された前記設定の内容を取得し；取得した前記設定の内容を、前記頭部装着型表示装置に近接された前記記憶媒体に記憶させてもよい。
この形態の頭部装着型表示装置によれば、設定部は、入力された設定の内容を、頭部装着型表示装置に近接された記憶媒体に記憶させておくことができる。このため、設定部は、一度行われた設定の内容（設定情報）を、二度目以降において、頭部装着型表示装置に近接された記憶媒体から簡単に取得し、再利用することができる。
【００１７】
（９）上記形態の頭部装着型表示装置において；前記設定部は、取得した前記媒体情報に応じて、前記画像表示部における前記虚像の形成に関する設定に加えてさらに、前記頭部装着型表示装置の制御に関する設定を行ってもよい。
この形態の頭部装着型表示装置によれば、簡単な構成で、虚像の見え方に関する設定と、頭部装着型表示装置の制御に関する設定と、の両方を、特定の単位ごとに変更可能とした頭部装着型表示装置を提供することができるため、利用者における利便性をさらに向上させることができる。
【００１８】
（１０）上記形態の頭部装着型表示装置において；前記設定部は；前記設定から所定の時間が経過した場合と；前記近距離無線通信によって前記記憶媒体が検出できなくなった場合と；のうちの少なくともいずれかの場合に、前記設定の内容を破棄してもよい。
この形態の頭部装着型表示装置によれば、設定部は、時間と、記憶媒体の近接と、のうちの少なくとも一方の条件に応じて、設定の内容を破棄することができる。この結果、設定の内容に含まれる個人情報が、同じ頭部装着型表示装置を利用した第三者に漏えいすることを抑制することができる。
【００１９】
上述した本発明の各形態の有する複数の構成要素は全てが必須のものではなく、上述の課題の一部または全部を解決するため、あるいは、本明細書に記載された効果の一部または全部を達成するために、適宜、前記複数の構成要素の一部の構成要素について、その変更、削除、新たな構成要素との差し替え、限定内容の一部削除を行うことが可能である。また、上述の課題の一部または全部を解決するため、あるいは、本明細書に記載された効果の一部または全部を達成するために、上述した本発明の一形態に含まれる技術的特徴の一部または全部を上述した本発明の他の形態に含まれる技術的特徴の一部または全部と組み合わせて、本発明の独立した一形態とすることも可能である。
【００２０】
例えば、本発明の一形態は、画像表示部と、設定部と、の２つの要素のうちの一部または全部の要素を備えた装置として実現可能である。すなわち、この装置は、画像表示部を有していてもよく、有していなくてもよい。また、この装置は、設定部を有していてもよく、有していなくてもよい。こうした装置は、例えば頭部装着型表示装置として実現できるが、頭部装着型表示装置以外の他の装置としても実現可能である。前述した頭部装着型表示装置の各形態の技術的特徴の一部または全部は、いずれもこの装置に適用することが可能である。例えば、本発明の一形態としての装置は、簡単な構成で、虚像の見え方に関する設定を特定の単位ごとに変更可能とすることを課題としている。しかし、この装置には、他にも、装置の小型化、利便性の向上、装置製造の際の低コスト化、省資源化、製造の容易化、等が望まれている。
【００２１】
なお、本発明は、種々の態様で実現することが可能であり、例えば、頭部装着型表示装置および頭部装着型表示装置の制御方法、頭部装着型表示装置を含むシステム、これらの方法、装置、システムの機能を実現するためのコンピュータープログラム、そのコンピュータープログラムを記憶した記憶媒体等の形態で実現することができる。
【図面の簡単な説明】
【００２２】
【図１】本発明の一実施形態における映像表示システムの概略構成を示す図である。
【図２】ＨＭＤ１００の構成を機能的に示すブロック図である。
【図３】利用者に視認される虚像の一例を示す図である。
【図４】設定書込処理の手順を表すシーケンス図である。
【図５】設定書込処理の結果を示す図である。
【図６】設定読込処理の手順を示すシーケンス図である。
【図７】第２実施形態における映像表示システムの概略構成を示す図である。
【図８】第２実施形態における媒体情報３０４の一例を示す図である。
【図９】第２実施形態におけるサーバー４００の構成を機能的に示すブロック図である。
【図１０】第２実施形態におけるＨＭＤ１００ａの構成を機能的に示すブロック図である。
【図１１】第２実施形態における設定書込処理の手順を示すシーケンス図である。
【図１２】第２実施形態における設定書込処理の結果を示す図である。
【図１３】第２実施形態における設定読込処理の手順を示すシーケンス図である。
【図１４】変形例におけるＨＭＤの外観の構成を示す説明図である。
【発明を実施するための形態】
【００２３】
Ａ．第１実施形態：
Ａ−１．映像表示システムの構成：
図１は、本発明の一実施形態における映像表示システムの概略構成を示す図である。映像表示システム１は、頭部装着型表示装置（以降、「ＨＭＤ」とも呼ぶ。）１００と、カード３００と、を備えている。本実施形態の映像表示システム１では、カード３００に記憶されている情報を用いて、ＨＭＤ１００における虚像の見え方に関する設定を自動的に行うことができる。カード３００に対して情報を記憶させるために、本実施形態では、後述の設定書込処理を実行する。カード３００に記憶されている情報からＨＭＤ１００の設定を行うために、本実施形態では後述の設定読込処理を実行する。
【００２４】
カード３００は、記憶媒体としてのＩＣ（Integrated Circuit）チップを含んだカード形状の媒体である。本実施形態において、ＩＣチップは、ＮＦＣ（Near Field Communication）タグを用いて実現されている。ＮＦＣタグ内には、情報を記憶しておくことができる。ＮＦＣタグに記憶されている情報は「媒体情報」として機能する。
【００２５】
Ａ−２．頭部装着型表示装置の構成：
ＨＭＤ１００は、利用者が、虚像を視認すると同時に外景も直接視認可能な光学透過型のヘッドマウントディスプレイである。ＨＭＤ１００は、利用者の頭部に装着された状態において利用者に虚像を視認させる画像表示部２０と、画像表示部２０を制御する制御部（コントローラー）１０とを備えている。なお、以降の説明において、ＨＭＤ１００によって利用者が視認する虚像を便宜的に「表示画像」とも呼ぶ。また、ＨＭＤ１００が画像データーに基づいて生成された画像光を射出することを「画像を表示する」ともいう。
【００２６】
Ａ−２−１．画像表示部の構成：
図２は、ＨＭＤ１００の構成を機能的に示すブロック図である。画像表示部２０は、利用者の頭部に装着される装着体であり、本実施形態では眼鏡形状である（図１）。画像表示部２０は、右保持部２１と、右表示駆動部２２と、左保持部２３と、左表示駆動部２４と、右光学像表示部２６と、左光学像表示部２８と、カメラ６１と、９軸センサー６６と、を備えている。以降、利用者が画像表示部２０を装着した状態における、画像表示部２０の各部の位置関係と機能について説明する。
【００２７】
図１に示すように、右光学像表示部２６および左光学像表示部２８は、利用者の右の眼前と、左の眼前とにそれぞれ位置するように配置されている。右光学像表示部２６の一端と左光学像表示部２８の一端とは、利用者の眉間に対応する位置で接続されている。図２に示すように、右光学像表示部２６は、右導光板２６１と、調光板（図示省略）と、を備えている。右導光板２６１は、光透過性の樹脂材料等によって形成されると共に、図示しないハーフミラーを含んでいる。右導光板２６１は、右表示駆動部２２から出力された画像光を、所定の光路に沿ってハーフミラーで反射させて、利用者の右眼ＲＥに導く。調光板は、薄板状の光学素子であり、画像表示部２０の表側（利用者の眼の側とは反対の側）を覆うように配置されている。調光板は、導光板２６１を保護し、損傷や汚れの付着等を抑制する。また、調光板の光透過率を調整することによって、利用者の眼に入る外光量を調整して虚像の視認のしやすさを調整することができる。なお、調光板は省略可能である。
【００２８】
左光学像表示部２８は、左導光板２６２と、調光板（図示省略）とを備えている。これらの詳細は、右光学像表示部２６と同様である。なお、右光学像表示部２６および左光学像表示部２８を総称して単に「光学像表示部」とも呼ぶ。光学像表示部は、画像光を用いて利用者の眼前に虚像を形成する限りにおいて任意の方式を用いることができ、例えば、回折格子を用いて実現されても良いし、半透過反射膜を用いて実現されても良い。
【００２９】
図１に示すように、右保持部２１は、右光学像表示部２６の他端ＥＲから利用者の側頭部に対応する位置にかけて延伸して設けられている。左保持部２３は、左光学像表示部２８の他端ＥＬから利用者の側頭部に対応する位置にかけて、延伸して設けられている。右保持部２１および左保持部２３は、眼鏡のテンプル（つる）のようにして、利用者の頭部に画像表示部２０を保持する。なお、右保持部２１および左保持部２３を総称して単に「保持部」とも呼ぶ。
【００３０】
図１に示すように、右表示駆動部２２は、右保持部２１の内側（利用者の頭部に対向する側）に配置されている。左表示駆動部２４は、左保持部２３の内側に配置されている。図２に示すように、右表示駆動部２２は、受信部（Ｒｘ）５３と、光源として機能する右バックライト（ＢＬ）制御部２０１および右バックライト（ＢＬ）２２１と、表示素子として機能する右ＬＣＤ（液晶ディスプレイ、Liquid Crystal Display）制御部２１１および右ＬＣＤ２４１と、右投写光学系２５１とを備えている。なお、右バックライト制御部２０１と、右ＬＣＤ制御部２１１と、右バックライト２２１と、右ＬＣＤ２４１とを総称して「画像光生成部」とも呼ぶ。
【００３１】
受信部５３は、制御部１０と画像表示部２０との間におけるシリアル伝送のためのレシーバーとして機能する。右バックライト制御部２０１は、入力された制御信号に基づいて右バックライト２２１を駆動する。右バックライト２２１は、例えばＬＥＤ（Light Emitting Diode）やエレクトロルミネセンス（ＥＬ）等の発光体である。右ＬＣＤ制御部２１１は、受信部５３を介して入力されたクロック信号ＰＣＬＫと、垂直同期信号ＶＳｙｎｃと、水平同期信号ＨＳｙｎｃと、右眼用の画像データーＤａｔａとに基づいて、右ＬＣＤ２４１を駆動する。右ＬＣＤ２４１は、複数の画素をマトリクス状に配置した透過型液晶パネルである。右投写光学系２５１は、右ＬＣＤ２４１から射出された画像光を並行状態の光束にするコリメートレンズである。
【００３２】
左表示駆動部２４は、受信部（Ｒｘ）５４と、光源として機能する左バックライト（ＢＬ）制御部２０２および左バックライト（ＢＬ）２２２と、表示素子として機能する左ＬＣＤ制御部２１２および左ＬＣＤ２４２と、左投写光学系２５２とを備えている。これらの詳細は、右表示駆動部２２と同様である。なお、右表示駆動部２２および左表示駆動部２４を総称して単に「表示駆動部」とも呼ぶ。
【００３３】
図１に示すように、カメラ６１は、利用者の右眼の目尻の上方に対応する位置に配置されている。カメラ６１は、画像表示部２０の表側方向、換言すれば、ＨＭＤ１００を装着した状態における利用者の視界方向の外景（外部の景色）を撮像し、外景画像を取得する。カメラ６１はいわゆる可視光カメラであるため、外景画像は、物体から放射される可視光によって物体の形状を表す画像となる。本実施形態におけるカメラ６１は単眼カメラであるが、いわゆるステレオカメラを採用してもよい。
【００３４】
図１に示すように、９軸センサー６６は、利用者の右側のこめかみに対応する位置に配置されている。９軸センサー６６は、加速度（３軸）、角速度（３軸）、地磁気（３軸）を検出するモーションセンサーである。９軸センサー６６は、画像表示部２０に設けられているため、画像表示部２０が利用者の頭部に装着されているときには、ヘッドマウントディスプレイ１００の利用者の頭部の動きを検出する動き検出部として機能する。ここで、頭部の動きとは、頭部の速度・加速度・角速度・向き・向きの変化を含む。
【００３５】
図１に示すように、画像表示部２０は、画像表示部２０と制御部１０とを接続するための接続部４０を備えている。接続部４０は、制御部１０に接続される本体コード４８と、本体コード４８が分岐した右コード４２および左コード４４と、分岐点に設けられた連結部材４６と、を含んでいる。連結部材４６には、イヤホンプラグ３０を接続するためのジャックが設けられている。イヤホンプラグ３０からは、右イヤホン３２および左イヤホン３４が延伸している。画像表示部２０と制御部１０とは、接続部４０を介して各種信号の伝送を行う。接続部４０の各コードには、例えば、金属ケーブルや光ファイバーを採用することができる。
【００３６】
Ａ−２−２．制御部の構成：
制御部１０はＨＭＤ１００を制御するための装置である。図１に示すように、制御部１０は、決定キー１１と、点灯部１２と、表示切替キー１３と、トラックパッド１４と、輝度切替キー１５と、方向キー１６と、メニューキー１７と、電源スイッチ１８と、ＮＦＣマーク１９と、を備えている。決定キー１１は、押下操作を検出して、制御部１０において操作された内容を決定するための信号を出力する。点灯部１２は、例えばＬＥＤによって実現され、ＨＭＤ１００の動作状態（例えば電源のＯＮ／ＯＦＦ等）を発光状態によって通知する。表示切替キー１３は、押下操作を検出して、例えばコンテンツ動画の表示モードを３Ｄと２Ｄとに切り替える信号を出力する。
【００３７】
トラックパッド１４は、トラックパッド１４の操作面上における利用者の指の操作を検出して、検出内容に応じた信号を出力する。トラックパッド１４としては、静電式や圧力検出式、光学式といった種々の方式を採用できる。輝度切替キー１５は、押下操作を検出して、画像表示部２０の輝度を増減する信号を出力する。方向キー１６は、上下左右方向に対応するキーへの押下操作を検出して、検出内容に応じた信号を出力する。電源スイッチ１８は、スイッチのスライド操作を検出することで、ＨＭＤ１００の電源投入状態を切り替える。
【００３８】
ＮＦＣマーク１９は、制御部１０がＮＦＣに準拠したインターフェイスを備えることと、ＮＦＣタグを含んだ媒体（図１の例ではカード３００）をタッチすべき位置と、を案内するために付された表示である。なお、本実施形態では、説明を簡単にするために「タッチ」との言葉を用いるが、ＮＦＣマーク１９とＮＦＣタグを含んだ媒体とは必ずしも接触させる必要はない。「タッチ」との言葉には、ＮＦＣタグを含んだ媒体が、ＮＦＣマーク１９の内側に内蔵されているＮＦＣ通信部１３６の通信可能範囲に入る程度に近接した場合も含む。
【００３９】
図２に示すように、制御部１０は、入力情報取得部１１０と、記憶部１２０と、電源１３０と、無線通信部１３２と、ＧＰＳモジュール１３４と、ＮＦＣ通信部１３６と、ＣＰＵ１４０と、インターフェイス１８０と、送信部（Ｔｘ）５１および５２とを備え、各部は図示しないバスにより相互に接続されている。
【００４０】
入力情報取得部１１０は、決定キー１１、表示切替キー１３、トラックパッド１４、輝度切替キー１５、方向キー１６、メニューキー１７、および、電源スイッチ１８に対する操作入力に応じた信号を取得する。入力情報取得部１１０は、上記以外の種々の方法を用いた操作入力を取得することができる。例えば、フットスイッチ（利用者の足により操作するスイッチ）による操作入力を取得してもよい。例えば、視線検出部（図示省略）によって検出された利用者の視線や、目の動きに対応付けられたコマンドによる操作入力を取得してもよい。このコマンドは利用者によって追加可能に設定されていてもよい。例えば、カメラ６１を用いて利用者のジェスチャーを検知し、ジェスチャーに対応付けられたコマンドによる操作入力を取得してもよい。ジェスチャー検知の際は、利用者の指先や、利用者の手に付けられた指輪や、利用者の手にする医療器具等を動き検出のための目印にすることができる。これらの方法による操作入力を取得可能とすれば、利用者が手を離すことが困難である作業においても、入力情報取得部１１０は、利用者からの操作入力を取得することができる。
【００４１】
記憶部１２０は、ＲＯＭ、ＲＡＭ、ＤＲＡＭ、ハードディスク等によって構成されている。記憶部１２０には、オペレーティングシステム（ＯＳ）をはじめとする種々のコンピュータープログラムが格納されている。
【００４２】
電源１３０は、ＨＭＤ１００の各部に電力を供給する。電源１３０としては、例えば二次電池を用いることができる。無線通信部１３２は、所定の無線通信規格に則って、外部装置との間で無線通信を行う。所定の無線通信規格とは、例えば、赤外線、Ｂｌｕｅｔｏｏｔｈ（登録商標）に例示される近距離無線通信、ＩＥＥＥ８０２．１１に例示される無線ＬＡＮ等である。ＧＰＳモジュール１３４は、ＧＰＳ衛星からの信号を受信することにより、ＨＭＤ１００の利用者の現在位置を検出し、利用者の現在位置情報を表す現在位置情報を生成する。現在位置情報は、例えば緯度経度を表す座標によって実現することができる。
【００４３】
ＮＦＣ通信部１３６は、ＩＳＯ／ＩＥＣ１４４４３およびＩＳＯ／ＩＥＣ１８０９２に準拠した近距離型の無線通信インターフェイスである。ＮＦＣは、通信可能な距離が１０ｃｍ前後に限定された近距離無線通信であり、ＮＦＣに準拠したインターフェイスを備える通信機器同士が非接触な状態でも無線通信が可能なことから、非接触無線通信、または、近接無線通信とも呼ばれる。ＮＦＣ通信部１３６は、図示しないＮＦＣリーダー／ライターとアンテナとを含み、アンテナを介して送受信される電波を用いて、ＮＦＣタグへの情報の読み書きをする。
【００４４】
ＣＰＵ１４０は、記憶部１２０に格納されているコンピュータープログラムを読み出して実行することにより、書込部１４２、読出部１４４、設定部１４６、ＯＳ１５０、画像処理部１６０、音声処理部１７０、表示制御部１９０として機能する。
【００４５】
書込部１４２は、ＮＦＣ通信部１３６を介したＮＦＣタグへの情報の書き込みを制御する。読出部１４４は、ＮＦＣ通信部１３６を介したＮＦＣタグからの情報の読み出しを制御する。設定部１４６は、設定書込処理と、設定読込処理と、を実行する。
【００４６】
画像処理部１６０は、画像表示のための信号処理を行う。具体的には、画像処理部１６０は、インターフェイス１８０や無線通信部１３２を介してコンテンツ（映像）が入力されている場合、コンテンツに基づく画像データーＤａｔａを生成する。画像処理部１６０は、ＨＭＤ１００の他の機能部から画像データーを受信した場合、受信したデーターを画像データーＤａｔａとする。なお、画像処理部１６０は、画像データーＤａｔａに対して、解像度変換処理、輝度や彩度の調整といった種々の色調補正処理、キーストーン補正処理、表示位置調整等の画像処理を実行してもよい。画像処理部１６０は、上述の画像データーＤａｔａと、クロック信号ＰＣＬＫと、垂直同期信号ＶＳｙｎｃと、水平同期信号ＨＳｙｎｃと、を、送信部５１、５２を介して、画像表示部２０へ送信する。
【００４７】
表示制御部１９０は、右表示駆動部２２および左表示駆動部２４を制御する制御信号を生成する。具体的には、表示制御部１９０は、制御信号により、左右のＬＣＤ制御部２１１、２１２による左右のＬＣＤ２４１、２４２の駆動ＯＮ／ＯＦＦや、左右のバックライト制御部２０１、２０２による左右のバックライト２２１、２２２の駆動ＯＮ／ＯＦＦを個別に制御することにより、右表示駆動部２２および左表示駆動部２４のそれぞれによる画像光の生成および射出を制御する。表示制御部１９０は、これらの制御信号を、送信部５１、５２を介して画像表示部２０へ送信する。
【００４８】
音声処理部１７０は、コンテンツに含まれる音声信号を取得し、取得した音声信号を増幅して、右イヤホン３２の図示しないスピーカーと、左イヤホン３４の図示しないスピーカーとに対して供給する。
【００４９】
インターフェイス１８０は、所定の有線通信規格に則って、外部装置ＯＡとの間で通信を行う。所定の有線通信規格としては、例えば、ＭｉｃｒｏＵＳＢ（Universal Serial Bus）、ＵＳＢ、ＨＤＭＩ（High Definition Multimedia Interface、ＨＤＭＩは登録商標）、ＤＶＩ（Digital Visual Interface）、ＶＧＡ（Video Graphics Array）、コンポジット、ＲＳ−２３２Ｃ（Recommended Standard 232）、ＩＥＥＥ８０２．３に例示される有線ＬＡＮ等である。外部機器ОＡとしては、例えば、パーソナルコンピューターＰＣや携帯電話端末、ゲーム端末等を利用することができる。
【００５０】
図３は、利用者に視認される虚像の一例を示す図である。上述のようにして、ＨＭＤ１００の利用者の両眼に導かれた画像光が利用者の網膜に結像することにより、利用者は虚像ＶＩを視認する。図３の例では、虚像ＶＩは、ＨＭＤ１００のＯＳ１５０の待ち受け画面である。利用者は、右光学像表示部２６および左光学像表示部２８を透過して外景ＳＣを視認する。このように、本実施形態のＨＭＤ１００の利用者は、視野ＶＲのうち虚像ＶＩが表示された部分については、虚像ＶＩと、虚像ＶＩの背後に外景ＳＣとを見ることができる。また、視野ＶＲのうち虚像ＶＩが表示されていない部分については、光学像表示部を透過して、外景ＳＣを直接見ることができる。
【００５１】
Ａ−３．設定書込処理：
図４は、設定書込処理の手順を表すシーケンス図である。第１実施形態の設定書込処理では、カード３００内のＮＦＣタグに対して、ＨＭＤ１００の設定情報を記憶させる。「設定情報」とは、画像表示部２０における虚像ＶＩ（図３）の見え方に関する設定の内容、換言すれば、画像表示部２０における虚像ＶＩの形成に関する設定の内容、を意味する。設定情報には、例えば、以下に示す情報ａ１〜ａ８を含むことができる。なお、情報ａ１〜ａ８はあくまで例示であり、少なくとも一部を置換、省略してもよい。
【００５２】
（ａ１）眼間距離：眼間距離は、利用者の右眼と左眼との間の距離である。眼間距離としては、瞳孔の中心間の距離を採用してもよく、右眼の内側と左眼の内側との間の距離（目頭間の距離）を採用してもよい。
（ａ２）輻輳角：輻輳角は、利用者の右眼で見える像と、左眼で見える像との差異（両眼視差）を表す角度である。
【００５３】
（ａ３）眼と光学素子の相対位置：眼と光学素子との相対距離は、例えば、瞳孔の中心と、光学素子としてのハーフミラーの中心と、の間のずれを表す値である。この値は、左右ばらばらに記憶されていてもよいし、左右を平均化した値が記憶されていてもよい。すなわち、利用者の右眼の瞳孔の中心と、右導光板２６１内のハーフミラーの中心との間のずれ、および、利用者の左眼の瞳孔の中心と、左導光板２６２内のハーフミラーの中心との間のずれ、がばらばらに記憶されていてもよい。また、両者を平均化した値が記憶されていてもよい。
【００５４】
（ａ４）眼と光学素子の角度：眼と光学素子の角度は、画像表示部２０を利用者の頭部に装着した際の、ハーフミラーの回転角度（θｒ、θｐ、θｙ）により表される。例えば、ハーフミラーの中心を原点とし、その原点において互いに直交するロール軸、ピッチ軸、ヨー軸を定義する。この場合、回転角度（θｒ、θｐ、θｙ）のうちのロール角θｒは、ハーフミラーの光軸方向と、ロール軸とが成す角度である。同様に、ピッチ角θｐは、ハーフミラーの光軸方向と、ピッチ軸とが成す角度である。ヨー角θｙは、ハーフミラーの光軸方向と、ヨー軸とが成す角度である。眼と光学素子の角度は、９軸センサー６６の測定値に基づいて算出することができる。
【００５５】
（ａ５）利き目：利き目は、利用者が物を見る際によく使う側の眼を表す情報である。
（ａ６）色彩情報：利用者の眼の色を感じ取る感覚（色覚）についての特性を表す情報である。
（ａ７）明るさ：画像表示部２０によって形成される虚像ＶＩ（図３）の明るさを表す値である。
（ａ８）表示位置調整：画像表示部２０によって形成される虚像ＶＩ（図３）の位置を調整する（ずらす）ために用いられる値である。なお、情報ａ１の眼間距離、および、情報ａ２の輻輳角は、表示位置調整によって調整され得る。
【００５６】
上記情報のいくつかを決定する方法は、例えば次の通りである。ＣＰＵ１４０が、画像表示部２０にキャリブレーション用画像を表示させながら、当該画像に対応した参照実物体を、カメラ６１を介して認識し、追跡する。この状態で、利用者ＵＲが、ユーザーインターフェイス（トラックパッド１４等）を介してキャリブレーション用画像の位置を画像表示部２０上で移動させる。そして、利用者ＵＲが、画像表示部２０を介して、キャリブレーション用画像と参照実物体とが重なる（位置、大きさ、向きの少なくとも１つがほぼ一致する）ように知覚したタイミングにて、ユーザーインターフェイスを介してＣＰＵ１４０へ通知する。ＣＰＵ１４０は、取得した通知に応じて、当該タイミングでの参照実物体の検出結果（位置等）に応対したパラメーターを取得し、当該パラメーターに基づいて上記情報を決定し得る。
【００５７】
図４の設定書込処理は、ＨＭＤ１００の書込部１４２と設定部１４６とが協働することによって実行される。設定書込処理の開始トリガーは任意に定めることができる。例えば、ＨＭＤ１００に対して初期設定の処理がなされたことを開始トリガーとしてもよい。例えば、利用者からの処理開始要求を取得したことを開始トリガーとしてもよく、ＨＭＤ１００のＯＳ１５０や特定のアプリケーションからの処理開始要求を取得したことを開始トリガーとしてもよい。
【００５８】
ステップＳ１００において利用者ＵＲは、ユーザーＩＤと、設定情報と、を入力する。ユーザーＩＤは、利用者ＵＲに対して一意に付された識別情報である。設定情報は、上述した情報ａ１〜ａ８である。ステップＳ１００においてＨＭＤ１００の設定部１４６は、利用者ＵＲによる入力を補助するために、ＧＵＩ（Graphical User Interface）による入力画面を画像表示部２０に表示させてもよい。また、設定部１４６は、９軸センサー６６による検出値、カメラ６１により取得された外景画像、図示しない種々のセンサー等を利用して、情報ａ１〜ａ８のうちの少なくとも一部を自動で算出してもよい。利用者ＵＲによる入力は、制御部１０の種々のキーを利用した入力のほか、フットスイッチを利用した入力、目の動きを利用した入力、ジェスチャーによる入力、音声による入力を利用することができる。
【００５９】
ステップＳ１０２において制御部１０の設定部１４６は、ステップＳ１００で入力されたユーザーＩＤと、設定情報と、を取得する。ステップＳ１０４において制御部１０の設定部１４６は、ステップＳ１０２において取得した設定情報に基づくＨＭＤ１００の調整を行う。具体的には、設定部１４６は、設定情報に含まれる情報ａ１〜ａ８を、画像表示部２０における虚像の形成に関する種々のプログラム（例えば、ＯＳ１５０、画像処理部１６０、その他のアプリケーションプログラム等）が参照する記憶領域内の適切な場所に記憶させる。これにより、ステップＳ１０４以降は、新たな設定情報に基づいた虚像の形成がなされる。なお、ステップＳ１０４のように、設定情報に基づいてＨＭＤ１００を調整することを、単に「設定する」とも呼ぶ。
【００６０】
ステップＳ１０６において制御部１０の設定部１４６は、利用者ＵＲに対して、カード３００をＮＦＣマーク１９にタッチするように案内する。この案内は、案内画面を画像表示部２０に表示させる態様でもよく、案内音声を左右イヤホン３２、３４に供給する態様でもよい。ステップＳ１０８において利用者ＵＲは、カード３００をＮＦＣマーク１９にタッチする。
【００６１】
ステップＳ１１０において制御部１０のＮＦＣ通信部１３６は、カード３００のＮＦＣタグのタッチを検出する。ステップＳ１１０では、タッチの検出に変えて、カード３００のＮＦＣタグが、制御部１０のＮＦＣ通信部１３６のＮＦＣリーダーの通信可能範囲にあることを検出してもよい。ステップＳ１１２において制御部１０の設定部１４６は、ステップＳ１０２において取得した設定情報を、タッチされているカード３００のＮＦＣタグに書き込む。この際、設定部１４６は、ステップＳ１０２において取得したユーザーＩＤと、ＨＭＤ１００のデバイスＩＤと、設定情報に関連付けて書き込む。ＨＭＤ１００のデバイスＩＤは、ＨＭＤ１００に対して一意に付された識別情報であり、ＨＭＤ１００の記憶部１２０に予め記憶されている。ステップＳ１１２は、書込部１４２を介して実行される。
【００６２】
図５は、設定書込処理の結果を示す図である。設定書込処理（図４）の結果、カード３００のＮＦＣタグには、媒体情報３０２として、ユーザーＩＤとデバイスＩＤと設定情報とが関連付けられたエントリ（情報）が１つ追加される。
【００６３】
図５の例では、カード３００のＮＦＣタグには、以下のＥ１、Ｅ２に示す２つのエントリが記憶されている。
（Ｅ１）ユーザーＩＤ「１」によって識別される利用者の、デバイスＩＤ「１」によって識別されるＨＭＤ１００についての設定情報。
（Ｅ２）ユーザーＩＤ「１」によって識別される利用者の、デバイスＩＤ「２」によって識別されるＨＭＤ１００についての設定情報。
【００６４】
このように、カード３００のＮＦＣタグには、ユーザーＩＤと、デバイスＩＤとの組み合わせによって、様々な利用者の様々なＨＭＤ１００に対する複数の設定情報を記憶しておくことができる。なお、カード３００を１人の利用者で占有する場合、換言すれば、カード３００に複数の利用者の設定情報を格納する必要がない場合、ユーザーＩＤは省略してもよい。
【００６５】
以上のように、第１実施形態の設定書込処理によれば、設定部１４６は、利用者ＵＲによって入力された設定の内容を、頭部装着型表示装置（ＨＭＤ１００）の制御部１０に近接された記憶媒体（カード３００のＮＦＣタグ）に記憶させておくことができる。このため、設定部１４６は、利用者ＵＲによって一度行われた設定の内容（設定情報）を、二度目以降に実行される設定読込処理において、頭部装着型表示装置に近接された記憶媒体から簡単に取得し、再利用することができる。
【００６６】
Ａ−４．設定読込処理：
図６は、設定読込処理の手順を示すシーケンス図である。第１実施形態の設定読込処理では、カード３００のＮＦＣタグから設定情報を取得し、取得した設定情報に基づいてＨＭＤ１００を調整する。
【００６７】
設定読込処理は、ＨＭＤ１００の読出部１４４と設定部１４６とが協働することによって実行される。設定読込処理の開始トリガーは任意に定めることができる。例えば、ＨＭＤ１００の電源がＯＮされたことを開始トリガーとしてもよい。例えば、利用者からの処理開始要求を取得したことを開始トリガーとしてもよく、ＨＭＤ１００のＯＳ１５０や特定のアプリケーションからの処理開始要求を取得したことを開始トリガーとしてもよい。
【００６８】
ステップＳ２００において利用者は、カード３００をＮＦＣマーク１９にタッチする。ステップＳ２０２において制御部１０のＮＦＣ通信部１３６は、カード３００のＮＦＣタグのタッチ（または通信可能範囲にあること）を検出する。
【００６９】
ステップＳ２０４において制御部１０の設定部１４６は、タッチされているカード３００のＮＦＣタグに記憶されている媒体情報３０２（図５）を読み出すことで、設定情報を取得する。この際、設定部１４６は、自装置の設定情報のみを取得する。具体的には、設定部１４６は、媒体情報３０２のデバイスＩＤが、記憶部１２０に予め記憶されている自装置のデバイスＩＤと一致するエントリのみを取得する。ステップＳ２０４は、読出部１４４を介して実行される。
【００７０】
ステップＳ２０６において制御部１０の設定部１４６は、ステップＳ２０４において読み出した設定情報に基づくＨＭＤ１００の調整を行う。詳細は、図４のステップＳ１０４と同様である。なお、設定部１４６は、ステップＳ２０４で読み出した自装置の設定情報が複数ある場合には、ステップＳ２０６に先立って、採用すべき設定情報を指定するよう利用者に案内してもよい。この案内は、案内画面を画像表示部２０に表示させる態様でもよく、案内音声を左右イヤホン３２、３４に供給する態様でもよい。
【００７１】
以上のように、第１実施形態の設定読込処理によれば、設定部１４６は、カード３００から取得した媒体情報３０２（図５）に応じて、画像表示部２０における虚像の形成に関する設定、換言すれば、虚像の見え方に関する設定を行うことができる（ステップＳ２０４）。媒体情報３０２は、頭部装着型表示装置（ＨＭＤ１００）の制御部１０に近接された記憶媒体（カード３００のＮＦＣタグ）から、近距離無線通信を介して取得することができるため、画像認識等と比較して処理内容が単純であり、設定部１４６における処理負荷が軽い。また、媒体情報３０２が記憶されている記憶媒体の扱いによって、虚像の見え方に関する設定を変更する単位を決めることができる。例えば、記憶媒体を１人の利用者で占有する場合、虚像の見え方に関する設定を利用者ごとに変更することができる。例えば、記憶媒体をグループで共有する場合、虚像の見え方に関する設定をグループごとに変更することができる。これらの結果、簡単な構成で、虚像の見え方に関する設定を特定の単位（カード３００を使用する単位、例えば個人単位、グループ単位等）ごとに変更可能とした頭部装着型表示装置を提供することができる。
【００７２】
また、第１実施形態の設定読込処理によれば、記憶媒体（カード３００のＮＦＣタグ）に予め記憶されている媒体情報３０２（図５）は、ＨＭＤ１００の設定情報である。このため、設定部１４６は、ステップＳ２０４で説明したように、頭部装着型表示装置（ＨＭＤ１００）の制御部１０に近接された記憶媒体から直接、設定情報を取得することができる。このため、利用者が初めて使用する頭部装着型表示装置においても、また、その頭部装着型表示装置が近距離無線通信以外の通信手段を備えない場合であっても、簡単な構成で、虚像の見え方に関する設定を特定の単位（カード３００を使用する単位）ごとに変更可能とすることができる。
【００７３】
Ａ−５．第１実施形態の変形：
第１実施形態では、以下に示す変形を施してもよい。変形１、２は、それぞれ単独で採用されてもよく、組み合わせて採用されてもよい。
【００７４】
Ａ−５−１．変形１：
設定読込処理（図６）において、設定部１４６はさらに、以下の条件ｂ１、ｂ２の少なくともいずれか一方が成立した場合に、ステップＳ２０６において実施した設定の内容を破棄する。設定の破棄は、例えば、ステップＳ２０６で記憶させた設定情報（情報ａ１〜ａ８）を、初期値に戻すことによって実現可能である。
【００７５】
（ｂ１）ＨＭＤ１００を設定してから所定の時間が経過した場合。換言すれば、ステップＳ２０６を実行してから所定の時間が経過した場合。所定の時間とは任意に定めることができ、ＨＭＤ１００の利用者による設定、変更が可能であってもよい。
（ｂ２）ＮＦＣ通信部１３６が、カード３００のＮＦＣタグのタッチ（または通信可能範囲にあること）を検出できなくなった場合。
【００７６】
変形１によれば、設定部１４６は、時間（条件ｂ１）と、記憶媒体（カード３００のＮＦＣタグ）の近接（条件ｂ２）と、のうちの少なくとも一方の条件に応じて、ステップＳ２０６の設定の内容を破棄することができる。この結果、設定の内容に含まれる個人情報（例えば、情報ａ１、ａ２、ａ５、ａ６等）が、同じ頭部装着型表示装置（ＨＭＤ１００）を利用した第三者に漏えいすることを抑制することができる。
【００７７】
Ａ−５−２．変形２：
設定書込処理（図４）および設定読込処理（図６）において、画像表示部２０における虚像の形成に関する設定に加えて、さらに、ＨＭＤ１００の制御に関する設定を可能とする。以降、画像表示部２０における虚像の形成に関する設定を「表示設定」と呼び、ＨＭＤ１００の制御に関する設定を「制御設定」とも呼ぶ。制御設定には、例えば、以下に示す情報ｃ１〜ｃ５を含むことができる。
【００７８】
（ｃ１）ＯＳ１５０に関する情報：デスクトップテーマ、時計、言語、ユーザーアカウントの設定等。
（ｃ２）ネットワーク接続に関する情報：ネットワークに接続するために必要な情報。例えば、ＩＰアドレス、ＳＳＩＤ、暗号化方式、暗号鍵等。
（ｃ３）セキュリティに関する情報：メールやインターネット接続のためのセキュリティレベル、受信メールや接続先サイトのフィルタリングに使用されるブラックリスト、ホワイトリスト等。
（ｃ４）省電力に関する情報：操作がなくなってから省電力処理を実行するまでの待機時間、省電力処理の種類等。
（ｃ５）音に関する情報：音量、音質特性についての設定等。
【００７９】
変形２では、図４および図６の説明において「設定情報」と記載した部分を、「表示設定と制御設定についての設定情報」と読み替えて処理を実行する。
【００８０】
変形２によれば、簡単な構成で、画像表示部２０における虚像の見え方に関する設定（表示設定）と、頭部装着型表示装置（ＨＭＤ１００）の制御に関する設定（制御設定）と、の両方を、特定の単位（カード３００を使用する単位）ごとに変更可能とした頭部装着型表示装置を提供することができるため、利用者における利便性をさらに向上させることができる。
【００８１】
Ｂ．第２実施形態：
本発明の第２実施形態では、第１実施形態とは異なる態様で、カード３００ａに記憶されている媒体情報を用いて、ＨＭＤ１００ａにおける虚像の見え方に関する設定を自動的に行う構成について説明する。以降、第１実施形態と同様の構成および処理については、第１実施形態と同様の符号を付して説明を省略する。第２実施形態において説明しない構成および処理は、上述した第１実施形態と同様である。
【００８２】
Ｂ−１．映像表示システムの構成：
図７は、第２実施形態における映像表示システムの概略構成を示す図である。第２実施形態の映像表示システム１ａは、ＨＭＤ１００に代えてＨＭＤ１００ａを備え、カード３００に代えてカード３００ａを備え。さらに、サーバー４００を備えている。ＨＭＤ１００ａは、通信キャリアＢＳを介して無線通信でインターネットＩＮＴに接続されている。サーバー４００は、有線通信でインターネットＩＮＴに接続されている。この結果、ＨＭＤ１００ａとサーバー４００とは互いにインターネットＩＮＴによって接続される。通信キャリアＢＳは、送受信アンテナや、無線基地局、交換局を含む。
【００８３】
図８は、第２実施形態における媒体情報３０４の一例を示す図である。カード３００のＮＦＣタグには、媒体情報３０４として、ＮＦＣタグに対して一意に付された識別情報が記憶されている。識別情報としては、任意の情報を利用可能であるが、例えば、ＮＦＣタグに対して工場出荷時に一意に付された識別子であるＵＩＤ（Unique Identification）を採用することができる。なお、第２実施形態の媒体情報３０４はＮＦＣタグに対して予め記憶されている情報であり、第１実施形態の媒体情報３０２とは異なり、設定書込処理を経ても変化しない。
【００８４】
図９は、第２実施形態におけるサーバー４００の構成を機能的に示すブロック図である。サーバー４００は、ＣＰＵ４１０と、ＲＯＭ４２０と、ＲＡＭ４３０と、通信インターフェイス（Ｉ／Ｆ）４４０と、記憶部４５０と、を備え、各部は図示しないバスにより相互に接続されている。サーバー４００は「情報処理装置」として機能する。
【００８５】
ＣＰＵ４１０は、ＲＯＭ４２０や記憶部４５０に格納されているコンピュータープログラムをＲＡＭ４３０に展開して実行することにより、サーバー４００の各部を制御する。そのほか、ＣＰＵ４１０は、制御部４１２としても機能する。制御部４１２は、ＨＭＤ１００ａと協働することにより、第２実施形態の設定書込処理と、設定読込処理と、を実行する。
【００８６】
通信インターフェイス４４０は、無線通信インターフェイスと、有線通信インターフェイスとを含んでいる。無線通信インターフェイスは、図示しない送受信回路を含み、アンテナを介して受信した電波の復調とデーターの生成、および、アンテナを介して送信する電波の生成と変調を行う。有線通信インターフェイスは、有線ケーブルを介して他の装置と接続される。
【００８７】
記憶部４５０は、ＲＯＭ、ＲＡＭ、ＤＲＡＭ、ハードディスク等によって構成されている。記憶部４５０は、設定情報記憶部４５２を含んでいる。設定情報記憶部４５２は、設定書込処理において、ＨＭＤ１００ａから受信した設定情報を記憶しておくための記憶領域である。
【００８８】
Ｂ−２．頭部装着型表示装置の構成：
図１０は、第２実施形態におけるＨＭＤ１００ａの構成を機能的に示すブロック図である。図２に示した第１実施形態との違いは、制御部１０に代えて制御部１０ａを備えている点である。制御部１０ａは、設定部１４６に代えて設定部１４６ａを備えている。そして、設定部１４６ａが実行する設定書込処理の内容と、設定読込処理の内容と、は第１実施形態と相違する。
【００８９】
Ｂ−３．設定書込処理：
図１１は、第２実施形態における設定書込処理の手順を示すシーケンス図である。図４に示した第１実施形態との違いは、処理がＨＭＤ１００ａの制御部１０ａとサーバー４００との協働により実現される点と、ステップＳ１１２に代えてステップＳ１５０〜Ｓ１５８を備える点である。
【００９０】
ステップＳ１５０において制御部１０ａの設定部１４６ａは、タッチされているカード３００ａのＮＦＣタグに記憶されている媒体情報３０４（図８）を読み出すことで、ＮＦＣタグの識別情報を取得する。ステップＳ１５０は、読出部１４４を介して実行される。ステップＳ１５２において制御部１０ａの設定部１４６ａは、設定情報記憶要求をサーバー４００へ送信する。設定情報記憶要求には、ステップＳ１５０において取得した識別情報と、ステップＳ１０２において取得したユーザーＩＤと、ＨＭＤ１００ａのデバイスＩＤと、ステップＳ１０２において取得した設定情報と、が含まれている。
【００９１】
ステップＳ１５４においてサーバー４００の制御部４１２は、設定情報記憶要求を取得する。ステップＳ１５６においてサーバー４００の制御部４１２は、取得した設定情報記憶要求に含まれている識別情報と、ユーザーＩＤと、デバイスＩＤと、設定情報と、を関連付けて設定情報記憶部４５２に記憶させる。ステップＳ１５８においてサーバー４００の制御部４１２は、設定情報の記憶を正常に終了した旨の応答を、ＨＭＤ１００ａへ送信する。
【００９２】
図１２は、第２実施形態における設定書込処理の結果を示す図である。設定書込処理（図１１）の結果、サーバー４００の設定情報記憶部４５２には、識別情報とユーザーＩＤとデバイスＩＤと設定情報とが関連付けられたエントリ（情報）が１つ追加される。
【００９３】
図１２の例では、サーバー４００の設定情報記憶部４５２には、以下のＥ１〜Ｅ３に示す３つのエントリが記憶されている。
（Ｅ１）識別情報「ＸＸＸ」によって識別されるＮＦＣタグから取得された設定情報であって、ユーザーＩＤ「１」によって識別される利用者の、デバイスＩＤ「１」によって識別されるＨＭＤ１００ａについての設定情報。
（Ｅ２）識別情報「ＸＸＸ」によって識別されるＮＦＣタグから取得された設定情報であって、ユーザーＩＤ「１」によって識別される利用者の、デバイスＩＤ「２」によって識別されるＨＭＤ１００ａについての設定情報。
（Ｅ３）識別情報「ＹＹＹ」によって識別されるＮＦＣタグから取得された設定情報であって、ユーザーＩＤ「２」によって識別される利用者の、デバイスＩＤ「１」によって識別されるＨＭＤ１００ａについての設定情報。
【００９４】
このように、サーバー４００の設定情報記憶部４５２には、識別情報と、ユーザーＩＤと、デバイスＩＤとの組み合わせによって、様々な利用者の様々なＨＭＤ１００ａに対する複数の設定情報を記憶しておくことができる。なお、カード３００ａを１人の利用者で占有する場合、識別情報とユーザーＩＤとは同視できるため、ユーザーＩＤは省略してもよい。
【００９５】
以上のように、第２実施形態の設定書込処理によれば、設定部１４６ａは、利用者ＵＲによって入力された設定の内容を、頭部装着型表示装置（ＨＭＤ１００ａ）の制御部１０ａに近接された記憶媒体（カード３００ａのＮＦＣタグ）の識別情報（媒体情報３０４）と関連付けて、情報処理装置（サーバー４００）の設定情報記憶部４５２に記憶させておくことができる。このため、設定部１４６ａは、利用者ＵＲによって一度行われた設定の内容（設定情報）を、二度目以降に実行される設定読込処理において、頭部装着型表示装置に近接された記憶媒体を利用して情報処理装置から簡単に取得し、再利用することができる。
【００９６】
さらに、第２実施形態の設定書込処理によれば、ＨＭＤ１００ａのＮＦＣ通信部１３６がＮＦＣライターを備えない場合であっても、利用者ＵＲによって入力された設定の内容を保存し、再利用することができる。
【００９７】
Ｂ−４．設定読込処理：
図１３は、第２実施形態における設定読込処理の手順を示すシーケンス図である。図６に示した第１実施形態との違いは、処理がＨＭＤ１００ａの制御部１０ａとサーバー４００との協働により実現される点と、ステップＳ２０４およびＳ２０６に代えてステップＳ２５０〜Ｓ２５６を備える点である。
【００９８】
ステップＳ２５０において制御部１０ａの設定部１４６ａは、タッチされているカード３００ａのＮＦＣタグに記憶されている媒体情報３０４（図８）を読み出すことで、ＮＦＣタグの識別情報を取得する。ステップＳ２５０は、読出部１４４を介して実行される。ステップＳ２５２において制御部１０ａの設定部１４６ａは、設定情報取得要求をサーバー４００へ送信する。設定情報取得要求には、ステップＳ２５０において取得した識別情報と、ＨＭＤ１００ａのデバイスＩＤと、が含まれている。
【００９９】
ステップＳ２５４においてサーバー４００の制御部４１２は、設定情報取得要求に含まれている識別情報とデバイスＩＤとをキーとして、設定情報記憶部４５２を検索する。ステップＳ２５６においてサーバー４００の制御部４１２は、ステップＳ２５４の検索結果として得られたエントリの設定情報を含む応答を、ＨＭＤ１００ａへ送信する。
【０１００】
ステップＳ２５８において制御部１０ａの設定部１４６ａは、サーバー４００からの応答に含まれる設定情報に基づくＨＭＤ１００ａの調整を行う。詳細は、図４のステップＳ１０４と同様である。
【０１０１】
以上のように、第２実施形態の読込処理によれば、第１実施形態と同様に、設定部１４６ａは、カード３００ａから取得した媒体情報３０４（図８）に応じて、サーバー４００から設定情報を取得し、画像表示部２０における虚像の形成に関する設定、換言すれば、虚像の見え方に関する設定を行うことができる（ステップＳ２５８）。媒体情報３０４は、頭部装着型表示装置（ＨＭＤ１００ａ）の制御部１０ａに近接された記憶媒体（カード３００ａのＮＦＣタグ）から、近距離無線通信を介して取得することができるため、画像認識等と比較して処理内容が単純であり、設定部１４６ａにおける処理負荷が軽い。また、媒体情報３０４が記憶されている記憶媒体の扱いによって、虚像の見え方に関する設定を変更する単位を決めることができる。これらの結果、簡単な構成で、虚像の見え方に関する設定を特定の単位（カード３００ａを使用する単位、例えば個人単位、グループ単位等）ごとに変更可能とした頭部装着型表示装置を提供することができる。
【０１０２】
また、第１実施形態の設定読込処理によれば、記憶媒体（カード３００ａのＮＦＣタグ）に予め記憶されている媒体情報３０４（図８）は、記憶媒体に対して一意に付されたＵＩＤ等の識別情報に過ぎない。このため、記憶媒体内において、設定書込処理と設定読込処理とを実行する際に必要とする記憶領域が少なくて済む。また、例えば利用者が記憶媒体を紛失した場合や、記憶媒体内の情報（媒体情報３０４）が不正に読み取られた場合であっても、記憶媒体内の情報として設定情報が記憶されているわけではないため、設定情報が漏えいする可能性を低減することができる。
【０１０３】
さらに、第１実施形態の設定読込処理によれば、設定部１４６ａは、頭部装着型表示装置（ＨＭＤ１００ａ）に接続された情報処理装置（サーバー４００）から設定情報を取得する（ステップＳ２５２〜Ｓ２５６）。このため、頭部装着型表示装置に接続された情報処理装置を利用して、様々な利用者の、様々なＨＭＤ１００ａについての設定情報を、サーバー４００によって一元管理することができる。このため、利用者が初めて使用する頭部装着型表示装置においても、その頭部装着型表示装置が通信手段を備えている限りにおいて、簡単な構成で、虚像の見え方に関する設定を特定の単位（カード３００ａを使用する単位）ごとに変更可能とすることができる。
【０１０４】
Ｂ−５．第２実施形態の変形：
第２実施形態では、以下に示す変形を施してもよい。変形１〜３は、それぞれ単独で採用されてもよく、組み合わせて採用されてもよい。
【０１０５】
Ｂ−５−１．変形１：
設定読込処理（図１３）において、設定部１４６ａはさらに、条件ｂ１、ｂ２の少なくともいずれか一方が成立した場合に、ステップＳ２５８において実施した設定の内容を破棄する。詳細は、第１実施形態の変形１と同様である。変形１によれば、設定部１４６ａは、時間（条件ｂ１）と、記憶媒体（カード３００ａのＮＦＣタグ）の近接（条件ｂ２）と、のうちの少なくとも一方の条件に応じて、ステップＳ２５８の設定の内容を破棄することができる。この結果、設定の内容に含まれる個人情報（例えば、情報ａ１、ａ２、ａ５、ａ６等）が、同じ頭部装着型表示装置（ＨＭＤ１００ａ）を利用した第三者に漏えいすることを抑制することができる。
【０１０６】
Ｂ−５−２．変形２：
設定書込処理（図１１）および設定読込処理（図１３）において、画像表示部２０における虚像の形成に関する設定に加えて、さらに、ＨＭＤ１００ａの制御に関する設定を可能とする。詳細は、第１実施形態の変形２と同様である。変形２によれば、簡単な構成で、画像表示部２０における虚像の見え方に関する設定（表示設定）と、頭部装着型表示装置（ＨＭＤ１００ａ）の制御に関する設定（制御設定）と、の両方を、特定の単位（カード３００ａを使用する単位）ごとに変更可能とした頭部装着型表示装置を提供することができるため、利用者における利便性をさらに向上させることができる。
【０１０７】
Ｂ−５−３．変形３：
映像表示システム１ａ（図７）において、サーバー４００を省略してもよい。この場合、第２実施形態の説明に対して、以下の読み替えを実施する。
・制御部４１２（図９）は、ＨＭＤ１００ａのＣＰＵ１４０に備えられる。
・設定情報記憶部４５２（図９、図１２）は、ＨＭＤ１００ａの記憶部１２０に備えられる。
・設定書込処理（図１１）および設定読込処理（図１３）において、「サーバー４００の制御部４１２」と記載した部分を「ＨＭＤ１００ａの制御部４１２」と、「サーバー４００の設定情報記憶部４５２」と記載した部分を「ＨＭＤ１００ａの設定情報記憶部４５２」と、それぞれ読み替える。
【０１０８】
変形３の設定書込処理によれば、第２実施形態の設定書込処理と同様の効果を得ることができると共に、頭部装着型表示装置（ＨＭＤ１００ａ）が近距離無線通信以外の通信手段を備えない場合であっても、設定書込処理を実行することができる。
【０１０９】
変形３の設定読込処理によれば、頭部装着型表示装置（ＨＭＤ１００ａ）に設けられた設定情報記憶部４５２内に設定情報を記憶しておき、設定部１４６ａは、頭部装着型表示装置から設定情報を取得することができる。このように、変形２では情報処理装置への接続を必要としないため、頭部装着型表示装置が近距離無線通信以外の通信手段を備えない場合であっても、簡単な構成で、虚像の見え方に関する設定を特定の単位（カード３００ａを使用する単位）ごとに変更可能とすることができる。
【０１１０】
Ｃ．変形例：
上記実施形態において、ハードウェアによって実現されるとした構成の一部をソフトウェアに置き換えるようにしてもよく、逆に、ソフトウェアによって実現されるとした構成の一部をハードウェアに置き換えるようにしてもよい。その他、以下のような変形も可能である。
【０１１１】
・変形例１：
上記実施形態では、映像表示システムの構成について例示した。しかし、映像表示システムの構成は、本発明の要旨を逸脱しない範囲において任意に定めることが可能であり、例えば、構成要素の追加・削除・変換等を行うことができる。
【０１１２】
例えば、映像表示システムは、上述した各装置に代えて、または、上述した各装置と共に、他の装置を備えていてもよい。例えば、サーバーに代えて、パーソナルコンピューター、ＮＡＳ（Network Attached Storage）等が用いられてもよい。例えば、ルーターやアクセスポイントといった、図示しない他の装置を含んでいてもよい。
【０１１３】
例えば、映像表示システムのＨＭＤとカードとは、ＮＦＣ以外の方法を利用した近距離無線通信を採用してもよい。例えば、ＨＭＤとカードとは、Ｆｅｌｉｃａ（登録商標）、Ｍｉｆａｒｅ（登録商標）、Ｂｌｕｅｔｏｏｔｈ（登録商標）、ＴｒａｎｓｆｅｒＪＥＴ等を利用することで、上述した実施形態の説明と同じように、相互に近距離無線通信を行うことができる。例えば、Ｆｅｌｉｃａを使用する場合、ＵＩＤに代えてＩＤｍを利用可能である。
【０１１４】
例えば、記憶媒体としてのＩＣチップ（上記実施形態の例ではＮＦＣタグ）は、カード以外のものに含まれていてもよい。具体的には、記憶媒体としてのＩＣチップは、スマートフォンやＰＤＡ等のデバイスに内蔵されていてもよく、タグシールに内蔵されていてもよく、取り外し可能なＨＭＤ用の部品に内蔵されていてもよい。取り外し可能なＨＭＤ用の部品とは、例えば、ＨＭＤのヘッドバンド（画像表示部を利用者の頭部に固定するためのベルト）、ＨＭＤのネームタグ、ＨＭＤの装飾パーツ（外観を変化させるための部材）等がある。
【０１１５】
例えば、第２実施形態の識別情報としては、ＩＣチップに対して工場出荷時に一意に付された識別子以外の、種々の情報を利用可能である。例えば、ＩＣチップに後発的に付されたＵＵＩＤ（Universally Unique Identifier）を識別情報として利用してもよい。ＩＣチップの暗号化領域に記憶された任意の情報（例えば、社員番号、個人情報の組み合わせ、ユーザーＩＤを元に自動生成された一意な値等）を識別情報として利用してもよい。
【０１１６】
・変形例２：
上記実施形態では、ＨＭＤの構成について例示した。しかし、ＨＭＤの構成は、本発明の要旨を逸脱しない範囲において任意に定めることが可能であり、例えば、各構成部の追加・削除・変換等を行うことができる。
【０１１７】
上記実施形態における制御部と画像表示部とに対する構成要素の割り振りは、あくまで一例であり、種々の態様を採用可能である。例えば、以下のような態様としてもよい。
（i）制御部にＣＰＵやメモリー等の処理機能を搭載し、画像表示部には表示機能のみを搭載する態様
（ｉｉ）制御部と画像表示部との両方にＣＰＵやメモリー等の処理機能を搭載する態様
（ｉｉｉ）制御部と画像表示部とを一体化した態様（例えば、画像表示部に制御部が含まれ眼鏡型のウェアラブルコンピューターとして機能する態様）
（ｉｖ）制御部の代わりにスマートフォンや携帯型ゲーム機を使用する態様
（ｖ）制御部と画像表示部とを無線ＬＡＮや赤外線通信やＢｌｕｅｔｏｏｔｈ等の無線の信号伝送路を介した接続により接続し、接続部（コード）を廃した態様。なお、この場合において、制御部または画像表示部に対する給電をワイヤレスにより実施してもよい。
【０１１８】
図１４は、変形例におけるＨＭＤの外観の構成を示す説明図である。図１４（Ａ）の画像表示部２０ｘは、右光学像表示部２６ｘおよび左光学像表示部２８ｘを備えている。これらは上記実施形態の光学部材よりも小さく形成され、ＨＭＤの装着時における利用者の左右の眼の斜め上にそれぞれ配置されている。図１４（Ｂ）の画像表示部２０ｙは、右光学像表示部２６ｙおよび左光学像表示部２８ｙを備えている。これらは上記実施形態の光学部材よりも小さく形成され、ＨＭＤの装着時における利用者の左右の眼の斜め下にそれぞれ配置されている。このように、光学像表示部は利用者の眼の近傍に配置されていれば足りる。光学像表示部を形成する光学部材の大きさは任意であり、光学像表示部が利用者の眼の一部分のみを覆う態様、換言すれば、光学像表示部が利用者の眼を完全に覆わない態様でもよい。
【０１１９】
例えば、ＨＭＤは、両眼タイプの透過型ＨＭＤであるものとしたが、単眼タイプのＨＭＤとしてもよい。例えば、利用者がＨＭＤを装着した状態において外景の透過が遮断される非透過型ＨＭＤとして構成してもよいし、非透過型ＨＭＤにカメラを搭載したビデオシースルーとして構成してもよい。例えば、イヤホンは耳掛け型やヘッドバンド型を採用してもよく、省略してもよい。
【０１２０】
例えば、眼鏡のように装着する画像表示部に代えて、通常の平面型ディスプレイ装置（液晶ディスプレイ装置、プラズマディスプレイ装置、有機ＥＬディスプレイ装置等）を採用してもよい。この場合も、制御部と画像表示部との間の接続は、有線、無線どちらでもよい。このようにすれば、制御部を、通常の平面型ディスプレイ装置のリモコンとして利用することができる。例えば、眼鏡のように装着する画像表示部に代えて、例えば帽子のように装着する画像表示部や、ヘルメット等の身体防護具に内蔵された画像表示部といった、他の態様の画像表示部を採用してもよい。例えば、自動車や飛行機等の車両、またはその他の交通手段に搭載されるヘッドアップディスプレイ（ＨＵＤ、Head-Up Display）として構成されてもよい。
【０１２１】
例えば、ＮＦＣマークとＮＦＣ通信部とは、制御部ではなく画像表示部に設けられていてもよい。
【０１２２】
・変形例３：
上記実施形態では、設定書込処理、および、設定読込処理の一例を示した。しかし、上記実施形態において示した処理の手順はあくまで一例であり、種々の変形が可能である。例えば、一部のステップを省略してもよいし、更なる他のステップを追加してもよい。実行されるステップの順序を変更してもよい。
【０１２３】
例えば、設定書込処理の開始トリガーとして「ＨＭＤに対して初期設定の処理がなされたこと」以外の条件を採用する場合、ステップＳ１００は省略してもよい。ステップＳ１００を省略した場合、ステップＳ１０２において設定部は、画像表示部における虚像の形成に関する種々のプログラムが参照する記憶領域内の適切な場所（複数でもよい）を参照して、設定情報の収集を行う。
【０１２４】
例えば、設定書込処理が終了した後において、設定部は、記憶媒体としてのＩＣチップ（上記実施形態の例ではＮＦＣタグ）に書き込まれている設定情報の確認機能や、編集機能をＨＭＤの利用者に提供してもよい。
【０１２５】
例えば、設定読込処理が終了した後において、設定部は、記憶媒体としてのＩＣチップに基づいて、画像表示部における虚像の形成に関する設定を自動的に行った旨の案内を利用者に行ってもよい。
【０１２６】
例えば、第２実施形態の設定書込処理において、設定部は、設定情報のデフォルト値を利用者に提示してもよい。デフォルト値は、ＨＭＤ内にプリセットされていてもよいし、サーバーから取得してもよい。サーバーから取得するデフォルト値は、例えば、サーバーの設定情報記憶部に記憶されている多数の利用者の設定情報の情報を解析し、統計を取ることで求めることができる。
【０１２７】
例えば、第２実施形態の設定読込処理において、サーバーは、設定情報記憶部の検索結果の送信（ステップＳ２５６）に代えて、または、検索結果の送信と共に「推奨される設定情報」の送信を行ってもよい。推奨される設定情報は、例えば、設定情報記憶部に記憶されている多数の利用者の設定情報の情報を解析し、統計を取ることで求めることができる。検索結果と推奨される設定情報との両方を送信する場合、ＨＭＤの設定部はさらに、利用者に対して、採用すべき設定情報の問い合わせを実施してもよい。
【０１２８】
・変形例４：
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部または全部を解決するために、あるいは、上述の効果の一部または全部を達成するために、適宜、差し替えや組み合わせを行うことが可能である。また、その技術的特徴が本明細書中に必須なものとして説明されていなければ、適宜、削除することが可能である。
【符号の説明】
【０１２９】
１…映像表示システム
１０…制御部
１１…決定キー
１２…点灯部
１３…表示切替キー
１４…トラックパッド
１５…輝度切替キー
１６…方向キー
１７…メニューキー
１８…電源スイッチ
１９…ＮＦＣマーク
２０…画像表示部
２１…右保持部
２２…右表示駆動部
２３…左保持部
２４…左表示駆動部
２６…右光学像表示部
２８…左光学像表示部
３０…イヤホンプラグ
３２…右イヤホン
３４…左イヤホン
４０…接続部
４２…右コード
４４…左コード
４６…連結部材
４８…本体コード
５１…送信部
５３…受信部
６１…カメラ
６６…９軸センサー
１００…ヘッドマウントディスプレイ（頭部装着型表示装置）
１１０…入力情報取得部
１２０…記憶部
１２２…対応情報
１２４…現在の状態
１３０…電源
１３２…無線通信部
１３４…ＧＰＳモジュール
１３６…ＮＦＣ通信部
１４０…ＣＰＵ
１４２…書込部
１４４…読出部
１４６…設定部
１５０…ＯＳ
１６０…画像処理部
１７０…音声処理部
１８０…インターフェイス
１９０…表示制御部
２０１…右バックライト制御部
２０２…左バックライト制御部
２１１…右ＬＣＤ制御部
２１２…左ＬＣＤ制御部
２２１…右バックライト
２２２…左バックライト
２４１…右ＬＣＤ
２４２…左ＬＣＤ
２５１…右投写光学系
２５２…左投写光学系
２６１…右導光板
２６２…左導光板
３００…カード（記憶媒体）
３０２…媒体情報、設定情報
３０４…媒体情報、識別情報
４００…サーバー（情報処理装置）
４１０…ＣＰＵ
４１２…制御部
４２０…ＲＯＭ
４３０…ＲＡＭ
４４０…通信インターフェイス
４５０…記憶部
４５２…設定情報記憶部
ＶＳｙｎｃ…垂直同期信号
ＨＳｙｎｃ…水平同期信号
Ｄａｔａ…画像データー
ＯＡ…外部装置
ＰＣ…パーソナルコンピューター
ＶＩ…虚像
ＳＣ…外景
ＶＲ…視野
ＲＥ…右眼
ＬＥ…左眼
【図１】
2016119544.tif 000003
【図２】
2016119544.tif 000004
【図３】
2016119544.tif 000005
【図４】
2016119544.tif 000006
【図５】
2016119544.tif 000007
【図６】
2016119544.tif 000008
【図７】
2016119544.tif 000009
【図８】
2016119544.tif 000010
【図９】
2016119544.tif 000011
【図１０】
2016119544.tif 000012
【図１１】
2016119544.tif 000013
【図１２】
2016119544.tif 000014
【図１３】
2016119544.tif 000015
【図１４】
2016119544.tif 000016